(57)【特許請求の範囲】
【請求項１】
差込口と差込プラグを有するテーブルタップにおいて、
上記差込口の一方の極性側に接続する細棒と、
上記差込口の一方の極性側とは異なる他の極性側に接続する導体リングを有し、
上記差込口の一方及び他方の極が、絶縁物からなる回転差込口カバー部材により覆われ、
上記細棒が上記導体リングを貫通する細棒貫通部を有し、
上記回転差込口カバー部材が上記導体リングに対して上記細棒貫通部を回転軸として回転可能に固定され、
上記細棒と上記導体リングとは絶縁され、
上記細棒と周方向に摺動可能な周面を有する円柱ブロックと、
上記円柱ブロックの周面上に配置され、上記導体リングと周方向に摺動可能な周面を有する円筒の導体を有し、
上記円筒の導体と上記円柱ブロックが絶縁され、
上記円筒の導体が上記差込プラグの上記他の極性側に接続され、
上記円柱ブロックは上記差込プラグの上記一方の極性側に接続されることを特徴とするテーブルタップ。
【請求項２】
請求項１記載のテーブルタップにおいて、
複数の上記導体リングは、上記円柱ブロックの長さ方向に離隔して配置されることを特徴とするテーブルタップ。
【発明の詳細な説明】
【技術分野】
【０００１】
本発明は、テーブルタップに関する。
【背景技術】
【０００２】
コンセントに差込むプラグには、様々な大きさや形状のものがある。このような様々なプラグに対応可能なテーブルタップが提案されている（特許文献１及び２）。
【先行技術文献】
【特許文献】
【０００３】
【特許文献１】特開２０１１−１２９４９５号公報
【特許文献２】特開２００１−２３７４０号公報
【発明の概要】
【発明が解決しようとする課題】
【０００４】
特許文献１に記載されたテーブルタップは、差込口自体は回転でき、電気機器のプラグの差し込み角度を変えることができるが、隣り合う差込口の距離を変えることができない。特許文献２に記載されたテーブルタップは、円柱形状の長さ方向に複数の差込口を設けたもので、各々の差込口が、その円柱形状の周方向に独立して回転可能なものである。このような特許文献２に記載されたテーブルタップは、プラグの差し込み方向を変えることができない。そのため、特許文献１及び２のテーブルタップでは、極端に大きいプラグを隣合わせてコンセントに差し込むことができない場合がある。
【０００５】
そこで本発明は、電気機器のプラグの差込角度と、隣り合う差込口の距離を変えることができるテーブルタップを提供することを目的とする。
【課題を解決するための手段】
【０００６】
上記の課題を解決するために、本発明のテーブルタップは、差込口と差込プラグを有し、差込口の一方の極性側に接続する細棒と、差込口の一方の極性側とは異なる他の極性側に接続する導体リングを有し、差込口の一方及び他方の極が、絶縁物からなる回転差込口カバー部材により覆われ、細棒が導体リングを貫通する細棒貫通部を有し、回転差込口カバー部材が導体リングに対して細棒貫通部を回転軸として回転可能に固定され、細棒と導体リングとは絶縁され、細棒と周方向に摺動可能な周面を有する円柱ブロックと、円柱ブロックの周面上に配置され、導体リングと周方向に摺動可能な周面を有する円筒の導体を有し、円筒の導体と円柱ブロックが絶縁され、円筒の導体が差込プラグの他の極性側に接続され、円柱ブロックは差込プラグの一方の極性側に接続されることを特徴とする。
【０００７】
ここで、複数の導体リングは、円柱ブロックの長さ方向に離隔して配置されることとしてもよい。
【発明の効果】
【０００８】
本発明によって、電気機器のプラグの差込角度と、隣り合う差込口の距離を変えることができるテーブルタップを提供することができた。
【図面の簡単な説明】
【０００９】
【図１】本発明の実施の形態に係るテーブルタップの、プラグ部分の図示を省略した斜視図である。
【図２】図１のＡ−Ａ要部断面図であり、後述する回転差込口カバー部材の図示を省略した図である。
【図３】図１のＢ−Ｂ要部断面図であり、プラグ部分を省略せずに示した図である。
【図４】円柱ブロックと、円筒絶縁物と、円筒の導体の展開斜視図である。また、図５の四角の点線部分Ｔを拡大した図である。
【図５】図１のＣ−Ｃ要部断面図である。
【図６】図５の領域Ｔを示す図である。
【発明を実施するための形態】
【００１０】
本発明の実施の形態に係るテーブルタップを、図面を参照しながら説明する。図１は、本発明の実施の形態に係るテーブルタップの、プラグ部分の図示を省略した斜視図である。図２は、図１のＡ−Ａ要部断面図であり、後述する回転差込口カバー部材の図示を省略した図である。図３は、図１のＢ−Ｂ要部断面図であり、プラグ部分を省略せずに示した図である。
【００１１】
本発明の実施の形態に係るテーブルタップ１は、差込口２と差込プラグ３が、それぞれプラス極２Ａ，３Ａ（一方の極性側）とマイナス極２Ｂ，３Ｂ（一方の極性側とは異なる他の極性側）を有している。差込口２のプラス極２Ａに接続する細棒４と、差込口２のマイナス極２Ｂと接続する導体リング５を有している。細棒４と導体リング５とは、シリコーンゴム製の絶縁物Ｓ１によって絶縁されている。
【００１２】
また、本発明の実施の形態に係るテーブルタップ１は、細棒４と周方向に摺動可能な周面を有する円柱ブロック６と、円柱ブロック６の周面６Ａ上に配置され、導体リング５と図１に示す周方向Ｘに摺動可能な周面７Ａを有する円筒の導体７を有している。円筒の導体７は、シリコーンゴム製の円筒絶縁物Ｓ２によって円柱ブロック６と絶縁されている。円筒の導体７は、差込プラグ３のマイナス極３Ｂに接続されている。円柱ブロック６は差込プラグ３のプラス極３Ａに接続されている。また、４つの導体リング５は、円柱ブロック６の長さ方向&alpha;に離隔して配置されている。
【００１３】
図４は、円柱ブロック６と、円筒絶縁物S2と、円筒の導体７の展開斜視図である。円柱ブロック６の周面６Aの上には、それを一部覆う円筒絶縁物S２が配置されている。そして、円筒絶縁物S２の周面S２Aの上には、それを一部覆う円筒の導体７が配置されている。円筒絶縁物S２と円筒の導体７には、それぞれそれらの周方向に伸びる溝部S２B，７Bが形成されている。また、円筒絶縁物S２と円筒の導体７には、それらの筒状部S２C，７Cを連結する連結部S２D，７Dが形成されている。本発明の実施の形態に係るテーブルタップ１が組み立てられた状態では、図３に示すように、円柱ブロック６と、絶縁物S２と、円筒の導体７が、それらの端部６B，S２E，７Eが重なるように配置されている。そのように配置された状態では、溝部S２B，７Bが重なりあっている。そして、溝部S２Bの溝幅は、溝部７Bの溝幅よりも若干狭くなっている（図２参照）。
【００１４】
差込プラグ３のプラス極３Ａから供給される電流は、図３に示す金属片８Ｂを経由して円柱ブロック６に流れ、図２に示す細棒４を経由して差込口２のプラス極２Ａに到達する。差込プラグ３のマイナス極３Ｂから供給される電流は、図３に示す金属片８Ａを経由して円筒の導体７に流れ、図２に示す導体リング５を経由して差込口２のマイナス極２Ｂに到達する。
【００１５】
カバー部材９は、細棒４と円柱ブロック６との導通及び円筒の導体７と差込口２のマイナス極２Ｂとの導通を阻害しないように、円筒の導体７の周面７Ａを覆う絶縁物からなる部材である。カバー部材９が形成する図３に示す空間９Ａは、金属片８Ａ，８Ｂを覆っている。金属片８Ａは円柱ブロック６とのショートを防止するため、また、金属片８Ｂは円筒の胴体７とのショートを防止するため、ショート防止用の絶縁膜８Ｃが金属片８Ａ，８Ｂのそれぞれを部分的に覆っている。カバー部材９には、穴９Ｂが形成されている。図１で図示を省略した穴９Ｂは、金属片８Ａ，８Ｂと、差込プラグ３のプラス極３Ａ及びマイナス極３Ｂとをそれぞれ接続する電線１０を通すためのものである。
【００１６】
図５は、図１のＣ−Ｃ要部断面図である。差込口２の一部を構成し、差込口２のプラス極２Ａ及びマイナス極２Ｂを覆う絶縁物からなる回転差込口カバー部材１１が、導体リング５を固定した状態で、細棒４のうち導体リング５を貫通する細棒貫通部４Ａを軸として図１に示すＹ方向に回転可能に構成されている。図６は、図５の領域Ｔを示す図である。
【００１７】
図６に示すように、回転差込口カバー部材１１は、導体リング５側に筒状に突出する筒状突出部１１Ａと、筒状突出部１１Ａの外周面１１Ａ１から垂直方向に円盤状に突出する円盤突出部１１Ｂを有している。導体リング５は、筒状突出部１１Ａと円盤突出部１１Ｂとが結合された形状の空間を有しており、その空間に筒状突出部１１Ａと円盤突出部１１Ｂが収容されている。なお、導体リング５と、筒状突出部１１Ａおよび円盤突出部１１Ｂの間には、僅かな隙間１１Ｃを有している。この空間および隙間１１Ｃが設けられているため、回転差込口カバー部材１１は、図１に示すＹ方向に回転可能となる。
【００１８】
導体リング５は、細棒貫通部４Ａの長さ方向に沿った切断面（図示省略）で、本発明の実施の形態に係るテーブルタップ１を製造する前には、２つに切断されている。その切断されている状態で、筒状突出部５Ａと円盤突出部５Ｂとが結合された形状の空間に、筒状突出部５Ａと円盤突出部５Ｂとを収容した上で切断面を接着剤で接合し、回転差込口カバー部材１１と導体リング５とを結合している。
【００１９】
（本発明の実施の形態によって得られる主な効果）
本発明の実施の形態に係るテーブルタップ１は、電気機器のプラグの差込角度と、隣り合う差込口２の距離を変えることができる。電気機器のプラグの差込角度は、回転差込口カバー部材１１が、図１に示すＹ方向に回転可能であるため、変えることができる。また隣り合う差込口２の距離は、円柱ブロック６の周面６Ａ上に配置され、導体リング５と周方向Ｘに摺動可能な周面７Ａを有する円筒の導体７を有しているため、各々の導体リング５は自由に周方向Ｘに回動可能なことから、変えることができる。なお、このように回動をしても、細棒４と円柱ブロック６の周面６Ａとは、摺動可能なため、差込プラグ３から供給される電流が差込口２に到達するのを阻害することはない。さらに、回転差込口カバー部材１１は、導体リング５を固定した状態で、細棒貫通部４Ａを軸として図１に示すＹ方向に回転可能であるため、その回転によって電気機器のプラグの差込角度をかえたとしても、細棒貫通部４Ａが接触する円柱ブロック６の周面６Ａの位置はズレることが殆ど無く、細棒４と円柱ブロック６との導通を維持できる。
【００２０】
また、テーブルタップ１は、４つの導体リング５が、円柱ブロック６の長さ方向&alpha;に離隔して配置されている。そのため、隣り合う導体リング５の隙間に金属粉などの導体が入り込んでも容易にそれを除去することができる。また、隣り合う差込口２の距離を大きくとることができる。
【００２１】
（他の形態）
上述した本発明の実施の形態に係るテーブルタップ１は、本発明の好適な形態の一例ではあるが、これに限定されるものではなく本発明の要旨を変更しない範囲において種々の変形実施が可能である。
【００２２】
たとえば、テーブルタップ１は、円筒の導体７と円筒絶縁物S２に連結部S２D，７Dを有している。しかし、この連結部S２D，７Dは無くし、溝部S２B，７Bが円柱ブロック６の周面６Aの周方向Xに連続して存在するようにしてもよい。ただし、連結部S２D，７Dを有することで、テーブルタップ１を製造する際に、円筒の導体７と円筒絶縁物S２の取り扱い性が良好となる。その理由は、連結部S２D，７Dと連結する複数の筒状部S２C，７Cをまとめて取り扱うことができるためである。
【００２３】
また、テーブルタップ１は、４つの導体リング５が、円柱ブロック６の長さ方向&alpha;に離隔して配置されている。しかし、４つの導体リング５は、密着していてもよい。さらに、導体リング５は、４つ以外の個数であってもよい。
【００２４】
また、差込口２と差込プラグ３のプラス極２Ａ，３Ａとマイナス極２Ｂ，３Ｂの極性は、便宜上称しているに過ぎず、交流電源から電流が供給される場合には、極性が逆転することがある。そのため、差込口２と差込プラグ３のプラス極２Ａ，３Ａとマイナス極２Ｂ，３Ｂの極性が逆転したものであっても、本発明の実施の形態に係るテーブルタップ１である。
【符号の説明】
【００２５】
１  テーブルタップ
２  差込口
３  差込プラグ
２Ａ，３Ａ   プラス極
２Ｂ，３Ｂ  マイナス極
４  細棒  
５  導体リング
Ｓ１  絶縁物
Ｓ２  円筒絶縁物
６  円柱ブロック
６Ａ  円柱ブロックの周面
７Ａ  周方向Ｘに摺動可能な周面
７  円筒の導体
【要約】      （修正有）【課題】電気機器のプラグの差込角度と、隣り合う差込口の距離を変えることができるテーブルタップを提供する。【解決手段】テーブルタップ１は、差込口２と差込プラグが、それぞれプラス極とマイナス極を有している。差込口のプラス極に接続する細棒と、差込口のマイナス極と接続する導体リング５を有している。細棒と導体リングとは、シリコーンゴム製の絶縁物によって絶縁されている。また、細棒と周方向に摺動可能な周面を有する円柱ブロックと、円柱ブロックの周面上に配置され、導体リングと周方向Ｘに摺動可能な周面を有する円筒の導体を有している。円筒の導体は、円柱ブロックとシリコーンゴム製の円筒絶縁物によって絶縁されている。円筒の導体が差込プラグのマイナス極に接続されている。円柱ブロックは差込プラグのプラス極に接続されている。【選択図】図１【図１】
0005945675.tif 000002
【図２】
0005945675.tif 000003
【図３】
0005945675.tif 000004
【図４】
0005945675.tif 000005
【図５】
0005945675.tif 000006
【図６】
0005945675.tif 000007